(57)【要約】【課題】省力起動装置の提供。【解決手段】一種の省力起動装置であり、それは起動ユニット、クラッチユニット及び伝動ユニットを含み、当該クラッチユニットは、起動ユニット及び伝動ユニットの間に連接される。前記起動ユニット及び伝動ユニットは、それぞれ第一皿ばねと第二皿ばねを設け、起動ユニットは作用を受け、正方向へ回転する時、クラッチユニットを介して当該伝動ユニットを動して回転させ、同時に二つの皿ばねはエネルギーを蓄えることができる。起動ユニットの第一皿ばねがエネルギーを釈放して起動ユニットを反転させる時、クラッチユニットは、起動ユニット及び伝動ユニットを離させて牽制にならない。当該第二皿ばねが当該伝動ユニットを駆動して回転を続けることで、当該伝動ユニットに連接されるエンジンを起動する。【選択図】図１
0003125202.tif 000002
【実用新案登録請求の範囲】
【請求項１】
以下を含むことを特徴とする省力起動装置であり、
中心軸を有するケース、ロープに連接するハンドル、第一皿ばね及び巻線輪を含む起動ユニット、当該第一皿ばね及び巻線輪は中心軸に設けられ、しかも第一皿ばねの両端はそれぞれ当該中心軸と当該巻線輪の第一側面に連接される、前記ロープが当該巻線輪を巻き込んでしかも当該ケースから延長し、当該ハンドルは当該ケースの外面に設けられ、しかも当該ロープに連接し、前記巻線輪の第二側面に丸形の凹状空間が設けられ、当該凹状空間の底面に軸向に伸びた多辺形凸柱が設けられ、
皿ばね輪及び滑りブロックを含むクラッチユニット、当該皿ばね輪軸向の第一側面は、凹状エリアを設け、当該凹状エリアの内径は等しい角度に複数の凹槽を分布し、当該皿ばね輪の軸向の第二側面中心に回転軸を設け、前記滑りブロックが通孔を有し、当該通孔の最小内径は約前記多辺形凸柱の最大外径と同じ、当該滑りブロックが当該巻線輪の凹状空間に置かれ、当該多辺形凸柱を通孔に貫通させ、前記滑りブロックの相対両側にはそれぞれ運転歯が設けられ、当該運転歯の反対方向の一側に滑り面を形成して、反対方向の他の一側に抵抗面を形成し、
第二皿ばねとパレット盤を含む伝動ユニット、当該第二皿ばねが当該皿ばね輪の第二側面に設けられ、当該パレット盤の軸向の第一側に端部で凹孔を有する筒柱が設けられ、相対的の第二側面はパレットを設け、前記皿ばね輪の回転軸は緩めに合わせて当該凹孔内に組み合わせられ、前記の第二皿ばねの両端をそれぞれ当該パレット盤及び皿ばね輪に連接し、当該パレット盤は固定部品で前記の中心軸に固定されることを特徴とする省力起動装置。
【請求項２】
当該皿ばね輪の凹状空間の内径円周は、複数の弾片を設け、しかも前記皿ばね輪の第一側面は歯車を有し、当該歯輪の軸向端面が前記の凹状エリアを設け、当該歯輪が当該巻線輪の凹状空間に組み合わせられ、当該歯輪の輪歯を当該弾片の端部と噛み合わせることを特徴とする請求項１記載の省力起動装置。
【請求項３】
当該伝動輪と滑りブロックの滑り面は、斜面となることを特徴とする請求項１または請求項２記載の省力起動装置。
【請求項４】
当該伝動輪と滑りブロックの滑り面は、弧面となることを特徴とする請求項１または請求項２に記載の省力起動装置。
【請求項５】
当該巻線輪の多辺形凸柱が相対する両側の凹状空間に軸向に延長する側突起を設け、当該側突起と多辺形凸柱の間の空間は、約当該滑りブロック内、外径間の両側辺の厚さと同じのことを特徴とする請求項３記載の省力起動装置。
【請求項６】
当該巻線輪の多辺形凸柱が相対する両側の凹状空間に軸向に延長する側突起を設け、当該側突起と多辺形凸柱の間の空間は、約当該滑りブロック内、外径間の両側辺の厚さ突塊を特徴とする請求項４記載の省力起動装置。
【考案の詳細な説明】
【技術分野】
【０００１】
本考案は、省力起動装置に関し、多種の動力工具のエンジン起動装置に応用でき、これによって、使用者は比較的に省力でエンジンを起動できる。
【背景技術】
【０００２】
多種の動力工具は、起動装置を介してエンジンを起動できることが知られる。例えば、一般の草刈機、枝葉の切り整え機等の園芸用動力工具の内燃機関の中に、エンジンの起動装置は主に下記の部品を包括する：起動器のハンドル、起動器ケース、皿ばね組、巻線輪。その中、起動器ハンドルはロープに連接され、ロープは巻線輪を巻き込まれて、そして巻線輪は当該皿ばね組に連接される。使用者は手で起動器のハンドルを引き出す時、ロープは巻線輪を動し、そしてエンジンを起動する。同時に、皿ばね組内の皿ばねの回復力を利用して、巻線輪を運転して元の最初位置に戻させ、ロープ及び起動器ハンドルを巻線輪に巻き込むことを可能にする。
【０００３】
このような従来の起動装置の一つの欠点は、使用者が起動ハンドルを引き出す力は比較的にかかる。これは、巻線輪が皿ばね組に連接されていたため、使用者が起動ハンドルを引き出す時、エンジンの内部圧力を克服し、同時に皿ばね組内の皿ばねの回復力を利用し、巻線輪を運転して元の最初位置に戻しなければならない。即ち、起動ハンドルの引き出される距離は大きいほど、使用者は多くの力がかかる。
【０００４】
もう一つの欠点は、点火の数及び速度が遅い。従来の起動装置の主な機能は、使用者が手で起動ハンドルを引き出すことを介して、巻線輪の伝動を利用して他の機構回転を動してエンジンを点火し起動して、しかしながら、従来の起動装置は、エンジン内部の圧力の影響で、速めに点火してエンジンの運転を動すことができない。更に詳細的に、使用者は力を増やすことで、点火速度及び数を上昇しなけらばならない。従って、使用者は起動ハンドルを引き出す速度が遅くなった時、相対的の点火数が少なくなったため、エンジンを起動しにくい。これはエンジンを起動するため、使用者が何回も起動ハンドルを引き出す原因である。
【０００５】
特許文献１、特許文献２、特許文献３、特許文献４等の考案から提供された技術方案は前記欠点の機能を改良することが有する。
【０００６】
【特許文献１】米国特許公告第ＵＳ２００２／０１２１２５８ Ａ１号明細書
【特許文献２】米国特許公告第ＵＳ２００２／０１７４８４８ Ａ１号明細書
【特許文献３】米国特許公告第ＵＳ２００４／００６５２８９ Ａ１号明細書
【特許文献４】米国特許公告第ＵＳ２００４／０１２３８２７ Ａ１号明細書
【考案の開示】
【考案が解決しようとする課題】
【０００７】
本考案の主な目的は、前記の従来の考案の構造と異なってしかもその作動が更に確実に信頼できる起動装置を提供する。
【０００８】
本考案の構造特徴は、起動ユニット、クラッチユニット及び伝動ユニットを含み、当該クラッチユニットは、起動ユニット及び伝動ユニットの間に連接されて；前記起動ユニット及び伝動ユニットは、それぞれ第一皿ばねと第二皿ばねを設けて、起動ユニットは作用で正方向へ回転する時、クラッチユニットを介して伝動ユニットを動して回転させると同時に二つの皿ばねはエネルギーを蓄えさせる。起動ユニットの第一皿ばねはエネルギーを釈放して起動ユニットを反方向に回転させる時、クラッチユニットは、起動ユニット及び伝動ユニットを離させて牽制にならなく、また当該第二皿ばねを介して伝動ユニットを駆動して回転し続けることにより、当該伝動ユニットの連接されているエンジンを起動させ、省力の操作効果を達する。
【０００９】
本考案の起動ユニットの技術手段は、ケース、ロープと結ぶハンドル、第一皿ばね及び巻線輪を含み、当該第一皿ばね及び巻線輪は、ケースの中心軸に設けられて、前記ロープは当該巻線輪を巻き込まれてしかも当該ケースから伸びしてから当該ハンドルを結ぶ。
【００１０】
本考案のクラッチユニットの技術手段は、皿ばね輪及び滑りブロックを含み、その滑りブロックは当該巻線輪に組み合わせられ、巻線輪により回転でき、同時に直径方向に巻線輪に相対して直線移動できる。前記の皿ばね輪の両側面は同時に当該巻線輪と当該伝動ユニットに連接され、滑りブロックを皿ばね輪及び巻線輪の間に位置させる。当該滑りブロック及び皿ばね輪の間に単向抵抗の伝動結構が有し、従って、起動ユニットは、単一方向で当該クラッチユニットを介して、当該伝動ユニットを駆動して回転させ、しかし、伝動ユニットは当該クラッチユニットを介して起動装置を駆動して反方向に回転させることはできない。
【００１１】
本考案は更に前記巻線輪及び皿ばね輪の間に位置決め結構を設置し、回転中の巻線輪は静止した皿ばね輪と相対に回転している時、角度定位の功能を備える。
【００１２】
本考案の伝動ユニットは、第二皿ばね及びパレット盤を含み、当該第二皿ばねの両端はそれぞれ当該パレット盤と前記皿ばね輪に連接され、パレット盤はケースの中心軸に固定されるため、皿ばね輪は回転する時、第二皿ばねがエネルギーを蓄えることができる。
【００１３】
本考案は従来の技術と比べると、その部品の組合は容易になり、全機構の作業は確実になり、故障率も低くなる。
【課題を解決するための手段】
【００１４】
請求項１の考案は、以下を含むことを特徴とする省力起動装置であり、
中心軸を有するケース、ロープに連接するハンドル、第一皿ばね及び巻線輪を含む起動ユニット、当該第一皿ばね及び巻線輪は中心軸に設けられ、しかも第一皿ばねの両端はそれぞれ当該中心軸と当該巻線輪の第一側面に連接される、前記ロープが当該巻線輪を巻き込んでしかも当該ケースから延長し、当該ハンドルは当該ケースの外面に設けられ、しかも当該ロープに連接し、前記巻線輪の第二側面に丸形の凹状空間が設けられ、当該凹状空間の底面に軸向に伸びた多辺形凸柱が設けられ、
皿ばね輪及び滑りブロックを含むクラッチユニット、当該皿ばね輪軸向の第一側面は、凹状エリアを設け、当該凹状エリアの内径は等しい角度に複数の凹槽を分布し、当該皿ばね輪の軸向の第二側面中心に回転軸を設ける、前記滑りブロックが通孔を有し、当該通孔の最小内径は約前記多辺形凸柱の最大外径と同じ、当該滑りブロックが当該巻線輪の凹状空間に置かれ、当該多辺形凸柱を通孔に貫通させ、前記滑りブロックの相対両側にはそれぞれ運転歯が設けられ、当該運転歯の反対方向の一側に滑り面を形成して、反対方向の他の一側に抵抗面を形成し、
第二皿ばねとパレット盤を含む伝動ユニット、当該第二皿ばねが当該皿ばね輪の第二側面に設けられ、当該パレット盤の軸向の第一側に端部で凹孔を有する筒柱が設けられ、相対的の第二側面はパレットを設け、前記皿ばね輪の回転軸は緩めに合わせて当該凹孔内に組み合わせられ、前記の第二皿ばねの両端をそれぞれ当該パレット盤及び皿ばね輪に連接し、当該パレット盤は固定部品で前記の中心軸に固定されることを特徴とする省力起動装置としている。
請求項２の考案は、当該皿ばね輪の凹状空間の内径円周は、複数の弾片を設け、しかも前記皿ばね輪の第一側面は歯車を有し、当該歯輪の軸向端面が前記の凹状エリアを設け、当該歯輪が当該巻線輪の凹状空間に組み合わせられ、当該歯輪の輪歯を当該弾片の端部と噛み合わせることを特徴とする請求項１記載の省力起動装置としている。
請求項３の考案は、当該伝動輪と滑りブロックの滑り面は、斜面となることを特徴とする請求項１または請求項２記載の省力起動装置としている。
請求項４の考案は、当該伝動輪と滑りブロックの滑り面は、弧面となることを特徴とする請求項１または請求項２に記載の省力起動装置としている。
請求項５の考案は、当該巻線輪の多辺形凸柱が相対する両側の凹状空間に軸向に延長する側突起を設け、当該側突起と多辺形凸柱の間の空間は、約当該滑りブロック内、外径間の両側辺の厚さと同じのことを特徴とする請求項３記載の省力起動装置としている。
請求項６の考案は、当該巻線輪の多辺形凸柱が相対する両側の凹状空間に軸向に延長する側突起を設け、当該側突起と多辺形凸柱の間の空間は、約当該滑りブロック内、外径間の両側辺の厚さ突塊を特徴とする請求項４記載の省力起動装置としている。
【考案の効果】
【００１５】
本考案は省力起動装置、前記の従来の考案の構造と異なってしかもその作動が更に確実に信頼できる起動装置を提供する。
【考案を実施するための最良の形態】
【００１６】
まず、図１〜図３を参照して、本考案の好ましい実施例は起動ユニットＡ、クラッチユニットＢ及び伝動ユニットＣを含む。その中、当該起動ユニットＡは、中心軸１１を有するケース１、ロープに連接するハンドル１２、第一皿ばね２、巻線輪３を含み。その中、前記巻線輪３の軸向は第一側面と第二側面を有して、当該第一側面はケース１へ向き組合われた一面であって。前記第二側面に丸形の凹状空間３０が設けられ、当該凹状空間３０の底面中央に軸向に伸びた多辺形凸柱３１が設けられ、当該多辺形凸柱３１の中央に貫通した中心孔３１０が設置される。また、当該凹状空間３０の内径円周は、クラッチユニットＢの皿ばね輪５との位置づけに用いられる複数の弾片３３を設置できる。巻線輪３の多辺形凸柱３１が両側の凹状空間に相対する底面も軸向に延長する側突起３２を設けることができ、当該側突起３２と多辺形凸柱３１の間に適当な間隔を維持する。当該第一皿ばね２と巻線輪３は当該ケース１の中心軸１１に設けられて、しかも第一皿ばね２の第一端２１及び第二端２２はそれぞれ当該ケース１の通溝１３と巻線輪３の嵌溝３５に固定される。ロープを巻線輪３に巻き込む後にケース１を貫通し、ハンドル１２と結ぶ。
【００１７】
本考案のクラッチユニットＢは、滑りブロック４と皿ばね輪５を含み。その中、当該滑りブロック４は通孔４１を有し、当該通孔４１の最小内径は約前記多辺形凸柱３１の最大外径と同じ。当該通孔４１の好ましい実施方式は長矩形を形成できる。当該滑りブロック４は巻線輪３の凹状空間３０に設けられ、且つ当該多辺形凸柱３１を滑りブロック４の通孔４１を貫通させる。滑りブロック４の相対両側にそれぞれ運転歯４２が設けられ、当該運転歯４２の反対方向の一側に滑り面４２１を形成し、反対方向の他の一側に抵抗面４２２を形成する。もっと好ましい実施方式は、当該滑り面４２１を斜面と弧面と形成させ、抵抗面４２２は、滑りブロック４端部外側の夾角と９０度の直角あるいは鋭角と等しいまたはより小さい。当該滑りブロック４は巻線輪３の凹状空間３０に入られ、その通孔４１に巻線輪３の多辺形凸柱３１が貫通され、同時に滑りブロック４内、外径間の両側の壁は当該多辺形凸柱３１と前記側突起３２間の隙間に設置する。
【００１８】
前記皿ばね輪５の軸向は第一側面及び相対の第二側面を有し、当該第一側面は巻線輪３へ向いて組み合わせられた面と定義され、当該第一側面に複数輪歯の歯車５５を有する外径が設置でき、しかも当該歯車５５の端面に凹状エリア５２を設置でき、当該凹状エリア５２の内径は等しい角度に複数の凹槽５３を分布し、当該凹槽５３の内径は当該凹状エリア５２の内径より大きいため、凹状エリア５２の外円周に複数の扇形凹槽５３を形成する。皿ばね輪の第二側面は凹部５６を設置でき、当該凹部５６の底面中心に回転軸５４を備え、当該回転軸５４の中心は、第一、第二側面に貫通する軸孔５１を有する。当該凹部５６の周囲側壁は少なくとも溝槽５７を設置できる。
【００１９】
当該滑りブロック４を巻線輪３の凹状空間３０に入られた後、皿ばね輪５の歯車５５を当該凹状空間３０中に入られ、滑りブロック４の運転歯４２を一つの凹槽５３に受け入れ、同時に皿ばね輪５に設けられた歯車５５は、巻線輪３の弾片３３の端部と相互に噛み合う。
【００２０】
本考案の伝動ユニットＣの好ましい実施例は、第二皿ばね６とパレット盤７を含み。そのパレット盤７軸向の第一側(皿ばね輪５へ向き組合われた一側)に凹孔７１を有する筒柱７０が設けられ、さらに当該筒柱７０の側壁にも溝槽７２が設けられ、凹孔７１の底面は挿通された中央孔である。当該第一側の第二側に対しはパレット７３を設ける。前記第二皿ばね６は皿ばね輪５の凹状エリア５６に置かれ、第二皿ばね６を外径と内径の両端に位置させてそれぞれ皿ばね輪５の凹状エリア５６周囲辺の溝槽５７とパレット盤７の溝槽５７に噛み合われ、しかも回転軸５４は緩めに合わせて当該凹孔７１に組合われて、そして部品を固定してパレット盤７を挿通して中心軸１１としっかり噛合っているが、パレット盤７を回転させる。前記固定部品の好ましい実施例はねじ７５を利用してワッシャー７４を挿通した後、ねじ７５を中心軸１１端部に設けられたねじの孔(図３に示すように)に噛合わせることで、前記各部品の組合を完成する。
【００２１】
本考案の操作方式は下記のように説明する、
エンジンを起動しようとする時、使用者はハンドル１２を引き出すと、巻線輪３に巻き込まれたロープは、巻線輪３を動かし、時計回りに回転させ(図４Ａに示すように)、巻線輪３の多辺形凸柱３１の滑りブロック４は、それに応じて同期回転し、そして滑りブロック４の抵抗面４２２を皿ばね輪５の凹槽５３の端部に接触させ(図５Ｂに示すように)、皿ばね輪５を動かせて反時計回りに回転して(図４Ｃに示すように)、巻線輪３の弾片３３は、エンジンの運行過程中に、皿ばね輪５が振動で自由に回転することで中心軸１１の擦傷の形成を避けるために提供され、即ち、皿ばね輪５の固定用に提供される。この時、巻線輪３と皿ばね輪５は時計回りに回転するので、同時に第一皿ばね２及び第二皿ばね６をしっかり巻き込んでエネルギーを蓄ることができる。使用者はハンドル１２を放してロープの引力を釈放する時、第一皿ばね２に保存されるエネルギーが釈放されたため巻線輪３を反時計回りに回転させ(図５Ａに示すように)、それにより、巻線輪３に結合した滑りブロック４はついてに反時計回りに回転させる。滑りブロック４の運転歯４２の滑り面４２１は、皿ばね輪５の凹槽５３端部に触っている時(図５Ｂに示すように)、滑り面４２１は、凹槽５３端部(図５Ｃ及び図５Ｄに示すように)を越え、そしてエネルギーの大きさによって前記方式で停止するまで凹槽５３端部を越える。言い換えれば、巻線輪３は反時計回りに回転する時、皿ばね輪５を動かせていないため、第二皿ばね６に蓄られるエネルギーを介して皿ばね輪５とパレット盤７を駆動して回転させ、エンジンに連接されたパウル７３がエンジンを駆動して起動する。
【図面の簡単な説明】
【００２２】
【図１】本考案の主な部品の組合関係を示す立体分解図である。
【図２】他の角度からの本考案による主な部品の組合関係を示す立体分解図である。
【図３】本考案の結構を示す平面断面図である。
【図４】本考案の巻線輪が時計回りに回転する時、滑りブロックで伝動輪を駆動して時計回りに回転させることを示す平面動作図である。
【図５】本考案の巻線輪が反時計回りに回転する時、伝動輪が駆動で回転を受けないことを示す平面動作図である。
【符号の説明】
【００２３】
Ａ  起動ユニット
Ｂ  クラッチユニット
Ｃ  伝動ユニット
１  ケース
１１  中心軸
１２  ハンドル
１３  溝槽
２  第一皿ばね
２１  第一端
２２  第二端
３  巻線輪
３０  凹状空間
３１  多辺形凸柱
３１０  中心孔
３２  側突起
３３  弾片
３４  線溝
４  滑りブロック
４１  通孔
４２  運転歯
４２１  滑り面
４２２  抵抗面
５  皿ばね輪
５１  軸孔
５２  凹状エリア
５３  凹槽
５４  回転軸
５５  歯車
５６  凹部
５７  溝槽
６  第二皿ばね
７  パレット盤
７０  筒柱
７１  凹孔
７２  溝槽
７３  パレット
７４  ワッシャー
７５  ねじ
【図１】
0003125202.tif 000003
【図２】
0003125202.tif 000004
【図３】
0003125202.tif 000005
【図４】
0003125202.tif 000006
【図５】
0003125202.tif 000007